(57)【特許請求の範囲】
【請求項１】
対面する上面フィルム（１１ａ）と下面フィルム（１１ｂ）は２以上の第１接触面（１３）で接着されて少なくとも１つの熱湯を通す水路（１２）が形成されてなり、
下面フィルム（１１ｂ）の水路（１２）形成部分のほぼ中央には熱湯放出のための複数個の孔（１４）が水路（１２）の方向と同方向に間隔をおいて形成されてなることを特徴とする土壌殺菌用の熱湯散布用具。
【請求項２】
上面フィルム（１１ａ）の水路（１２）上の部分は黒く着色されている請求項１記載の土壌殺菌用の熱湯散布用具。
【請求項３】
下面フィルム（１１ｂ）は帯状のフィルムで形成され２以上の第１接着面（１３）において上面フィルム（１１ａ）に接着されて第１接着面（１３）の間に水路（１２）が構成されてなる請求項１記載の土壌殺菌用の熱湯散布用具。
【請求項４】
保温用フィルム（１６）が上面フィルム（１１ａ）の上方に配置され、保温用フィルム（１６）の水路（１２）の横方向の両端部と上面フィルム（１１ａ）の同方向の両端部とは第２接着面（１７）において上面フィルム（１１ａ）が水路（１２）の上面に密着する状態に接着される請求項１記載の土壌殺菌用の熱湯散布用具。
【請求項５】
第２接着面（１７）の水路（１２）寄りの第３接着面（１８）において保温用フィルム（１６）は上面フィルム（１１ａ）に接着され、第３接着面（１８）のいずれか一方の上方に形成した空気導入口（１９）からの空気導入により上面フィルム（１１ａ）と保温用フィルム（１６）との間に空気ドーム（３０）が形成されてなる請求項４記載の土壌殺菌用の熱湯散布用具。
【請求項６】
対面する上面フィルム（１１ａ）と下面フィルム（１１ｂ）は２以上の第１接着面（１３）で接着されて少なくとも１つの熱湯を通す水路（１２）を形成してなり、
下面フィルム（１１ｂ）の水路（１２）形成部分のほぼ中央に熱湯放出のための複数個の孔（１４）が水路（１２）と同方向に間隔をおいて形成され、
水路（１２）内に散水チューブ（２０）が水路（１２）と同方向に配置され、散水チューブ（２０）には水路（１２）を構成する下面フィルム（１１ｂ）の孔（１４）に対応して散水孔（２０ａ）が形成されてなることを特徴とする土壌殺菌用の熱湯散布用具。
【請求項７】
散水孔（２０ａ）は散水チューブ（２０）の上面のほぼ中央位置に形成されてなる請求項６記載の土壌殺菌用の熱湯散布用具。
【請求項８】
対面する上面フィルム（１１ａ）と透水性のある下面透水性フィルム（１１ｃ）とは２以上の第１接着面（１３）で接着されて少なくとも１つの熱湯を通す水路（１２）が形成されてなり、
水路（１２）内に散水チューブ（２０）が該水路と同方向に配置され、散水チューブ（２０）の下面透水性フィルム（１１ｃ）に面する部分に散水孔（２０ａ）が形成されてなることを特徴とする土壌殺菌用の熱湯散布用具。
【請求項９】
通気性は低いが、透水性の高い下面透水性フィルム（１１ｃ）と保温用フィルム（１６）は下面透水性フィルム（１１ｃ）の上面に第３接着面（１８）で接着され、２以上の散水チューブ（２０）は下面透水性フィルム（１１ｃ）の上面に第４接着面（１８ａ）において接着され、散水チューブ（２０）の上面には２以上の散水孔（２０ａ）が形成されてなり、散水チューブ（２０）に強制的に熱湯を供給し、熱湯を散水孔（２０ａ）から保温用フィルム（１６）により限定される空気ドーム（３０）内に放出し土壌へ浸透させることを特徴とする土壌殺菌用の熱湯散布用具。
【発明の詳細な説明】
【０００１】
【発明の属する技術分野】
本発明は土壌殺菌用の熱湯散布用具、より詳しくは植物栽培用の土壌中の病害虫の殺菌のために７０〜９０℃の熱湯を栽培土壌の上に散布し、上昇した土壌温度を維持するための熱湯水路と保温用フィルムとが一体化した用具に関する。
【０００２】
【従来の技術】
土壌中の病害虫の殺菌（以下、土壌殺菌と略称する。）が施設園芸の分野で注目されているが、それが注目され実施されるに至った主な理由は連作障害の防止である。連作障害の原因は同じ場所で同じ作物を作り続ける連作による土壌中の病害虫の増殖および余剰肥料による塩類集積であり、土壌殺菌は土壌中の病害虫による連作障害の防止を目的とする。塩類集積は本発明では対象としない。
【０００３】
土壌殺菌法は、現在、化学的方法として農薬による殺菌、物理的方法として太陽熱による殺菌、蒸気殺菌および熱湯による殺菌の４つの方法が実施されている。
【０００４】
農薬による殺菌のコストの主なものは農薬の費用だけであり、実施がさほど難しくなく、作物の種類に応じて農薬を選択できるので、病害虫の殺菌だけに着目すると農薬の使用は効果的である。
【０００５】
太陽熱による殺菌は太陽熱利用方法によるものであり、その利点としては、イ．特別の設備を必要とせず、ロ．環境にやさしく、ハ．低コストであり、ニ．圃場全体が殺菌できることである。
【０００６】
蒸気殺菌は蒸気ボイラで発生する蒸気を用いる方法で、それにはホジソンパイプ法、スパイク法、キャンバスホース法、殺菌槽法の４つがある。ホジソンパイプ法は蒸気殺菌の主たる方法で、メロン、花卉類の栽培用に使用されており、栽培区と通路区とが隔離されている限られた区域で用いられ、穴あきパイプを深さ２０ｃｍの底に埋め蒸気を上方向に放出する。スパイク法は大面積圃場に用いられ、深さ２０ｃｍに押し込んだスパイクの先端から蒸気を放出させる方法である。キャンバス法は作業性のよい方法で、布ホースを土壌表面上に置き土壌をシートで被覆し、蒸気を下へ土壌中に浸透させる方法であるが、現在あまり使用されていない。殺菌槽法は、育苗や植木鉢の用土の殺菌に適し、底に蒸気室を設けそこから土壌に向け蒸気を噴出させるものであり広く用いられている。
【０００７】
蒸気殺菌の不利な点は、蒸気発生用のボイラの取扱いには専門知識が要求され、しかもボイラに頻繁なメンテナンスが必要で、寿命も４〜５年程度と短い。さらに、土壌中に蒸気の通り道ができ、また、土壌の温度ムラもできやすいことである。農薬による殺菌は、人体および環境に与える悪影響が大きく散布後数十時間温室内に人は入れない。臭化メチルは殺菌効果は大であるものの、西暦２００５年以降はフロン規制により使用が禁止されるという問題がある。太陽熱による殺菌は天候に左右され夏の晴天時にしか実施できず、また完全に殺菌できるかどうか保証し難い。
【０００８】
上述から次の事情が判明した。現在、蒸気ボイラによる殺菌は土壌中に蒸気の通り道ができ殺菌ムラが起きやすいため、主にメロンや花卉栽培のように栽培区域が他の区域と隔離されたところで効果的であり、事実、蒸気殺菌はこの限られた区域の殺菌に限定されている（ホジソン法、殺菌槽法）。このように圃場全体の殺菌に蒸気方式はあまり利用されていない。所定量の作物の確実な供給を求める市場の要請を考慮に入れると、上記の方法の代替として求められているものは、圃場全体の土壌殺菌であると結論できる。
【０００９】
以上の理由で、熱湯による殺菌が注目されるに至った。特にこの方法の利点は、イ．環境にやさしく、ロ．ボイラの能力により制限されるものの圃場全体を殺菌できることである。また、この方法は散水量が増えると塩類集積をある程度解消すると報告されている。
【００１０】
熱湯散布による土壌中の病害虫殺菌に牽引方式を用いる例は「日本農業新聞」の１９９８年（平成１０年）４月２３日版に発表された。この具体例を同新聞に掲げられた模式図（側断面図）を図１６に転写して示す。同新聞に記載の説明を引用すると、図示しないボイラからチューブ（図示せず）で温室内に配管し、散布幅４．５ｍの熱湯散布機１に連結する。毎分３０リットルの熱湯がポンプ（図示せず）で送られ、地表面に散布しながら、ウィンチ２、ワイヤ３で毎時２〜２．５ｍの速さで移動する。放熱を防ぐため圃場をアルミ蒸着フィルム４で覆う。なお、同図において、５は作土、６は熱湯である。
熱湯散布法としては、蒸気の例のほかに、散水パイプを土壌表面に並べて散布する方法またはパイプを土中に埋めて放水する方法もある。
【００１１】
【発明が解決しようとする課題】
熱湯散布による殺菌方式は効果が確実であるものの装置が大掛かりになるという不利な点がある。地中にパイプを埋没する方式はパイプの設置に時間と労力を費やし、パイプを並べて熱湯を散布する方法ではパイプ群を移動するのに手間がかかり、どの方法を用いても放熱ロスを防ぐためには保温フィルムで覆う作業が必要になるという問題がある。
【００１２】
【課題を解決するための手段】
上記課題は、対面する上面フィルムと下面フィルムは２以上の第１接触面で接着されて少なくとも１つの熱湯を通す水路が形成されてなり、下面フィルムの水路形成部分のほぼ中央には熱湯放出のための複数個の孔が水路の方向と同方向に間隔をおいて形成されてなることを特徴とする土壌殺菌用の熱湯散布用具を提供することによって解決される。
【００１３】
また、上記課題は、対面する上面フィルムと下面フィルムは２以上の第１接着面で接着されて少なくとも１つの熱湯を通す水路を形成してなり、下面フィルムの水路形成部分のほぼ中央に熱湯放出のための複数個の孔が水路と同方向に間隔をおいて形成され、水路内に散水チューブが水路と同方向に配置され、散水チューブには水路を構成する下面フィルムの孔に対応して散水孔が形成されてなることを特徴とする土壌殺菌用の熱湯散布用具によって解決される。
【００１４】
また、上記課題は、対面する上面フィルムと透水性のある下面透水性フィルムとは２以上の第１接着面で接着されて少なくとも１つの熱湯を通す水路が形成されてなり、水路内に散水チューブが該水路と同方向に配置され、散水チューブの下面透水性フィルムに面する部分に散水孔が形成されてなることを特徴とする土壌殺菌用の熱湯散布用具によって解決される。
【００１５】
さらに、上記課題は、通気性は低いが、透水性の高い下面透水性フィルムと保温用フィルムは下面透水性フィルムの上面に第３接着面で接着され、２以上の散水チューブは下面透水性フィルムの上面に第４接着面において接着され、散水チューブの上面には２以上の散水孔が形成されてなり、散水チューブに強制的に熱湯を供給し、熱湯を散水孔から保温用フィルムにより限定される空気ドーム内に放出し土壌へ浸透させることを特徴とする土壌殺菌用の熱湯散布用具によって解決される。
【００１６】
【作用】
本発明にかかる土壌殺菌用の熱湯散布用具は、熱湯を通す水路と上面フィルムおよび下面フィルムとが一体化されているので、熱湯散布における該用具の設置の手間が省け、移動が可能であり、さらには放熱が抑えられるので熱湯の熱の無駄がなく、晴天のときには太陽光により水路の温度損失が抑えられ土壌の温度上昇が確保され、上面フィルムは土壌からの熱放出を抑制し、空気ドームを設けると熱放出抑制の効果はさらに高められる。
また、空気ドームを形成した中で散水チューブで熱湯を散布する場合は、水平方向へも熱湯が拡散するため少ない散水チューブでより多くの面積をカバーできる。
【００１７】
【実施例】
本発明にかかる土壌殺菌用の熱湯散布用具１０（以下、熱湯散布用具と略称）の第１実施例は図１（ａ）の横方向点線に沿って一部切欠した平面図と同図の下から長尺方向に見た同図（ｂ）の側面図に示され、図中、１０は熱湯散布用具、１１ａは上面フィルム、１１ｂは下面フィルムでこれらのフィルムはいずれも透明で７０〜９０℃の温度の熱湯に耐えられる材質のものであり、熱湯が散布される植物栽培用の土壌を保温するにも役立つ。本発明の実施においては図示の形状のものが使用可能であるが、必要とあれば図の縦方向に任意の長さに延在させたものも使用できる。１２は上面フィルム１１ａ、下面フィルム１１ｂと接着面１３で囲まれた熱湯を通す水路、斜線を付した部分１３は上面フィルム１１ａと下面フィルム１１ｂとの第１接着面、１４は水路１２の側断面図に見て下面フィルム１１ｂにあけた熱湯放出のための孔である。水路１２内を流れる熱湯の水圧は０．５ｆｋｇ／ｃｍ２程度に設定する。水路１２は３本を図示したがその数は１本以上適宜設定し、複数の水路は同一方向にほぼ平行に延在する。隣り合う水路１２の中心線の間の距離は１０〜４０ｃｍに設定する。この実施例は熱湯を散布するための水路１２を保温用の上面フィルム１１ａおよび下面フィルム１１ｂと一体化して形成した構成で、横幅は６０ｃｍ〜３ｍに、縦方向長さは１０〜２０ｍに設定する。フィルムを３ｍ×２０ｍ＝６０ｍ２の寸法にすると多くの温室では２つの熱湯散布用具を横方向に並べそれらを縦方向に移動するだけで用が足りる。縦方向の長さを短くしたい場合には、熱湯散布用具１０を折り曲げることで調節できる。上面フィルム１１ａと下面フィルム１１ｂとを一体化するには、接着面１３の位置で接着剤を用いるか熱融着等で接着する。接着は水路と水路の間すべてにわたってひろがってもよい。
【００１８】
図２（ａ）と（ｂ）は本発明第２実施例の図１（ａ）と（ｂ）に類似の平面図と側面図で図１に示した部分と同じ部分は同一符号で示す。接着面１３相互間の白地部分は上面フィルム１１ａおよび下面フィルム１１ｂの透明部分を示し、図２（ａ）において水路１２の砂地を付した部分は水路１２が黒色に着色されていることを示す。これは例えば上面フィルム１１ａの水路１２部分を帯状に黒色に着色しておくことで形成できる。黒色フィルムは黒色であることにより太陽光により加温され、水路１２を通る熱湯の熱損失を少なくし、水路が長いときでも熱湯の散布温度がより均一となり殺菌効果を高める効果がある。それ以外の構成は第１実施例と同様である。この例はそれ故に夏場の病害虫殺菌に有効である。冬場には上面フィルム１１ａを保温力の高いシルバーフィルムにしてもよい。
【００１９】
図３は第３実施例の図で、同図（ａ）と（ｂ）は図１に類似の平面図と側面図で図１と図２に示した部分と同じ部分は同じ符号を付して示す。この実施例で熱湯を散布するための水路１２は上面フィルム１１ａと帯状の下面フィルム１１ｂの短尺方向両端を第１接着面１３で接着して形成される構成で、水路部分のみのフィルムが二重になっておりフィルム材を少なくできる。帯状のフィルムは３〜１０ｃｍ×１０〜２０ｍの寸法に設定する。この構成とは上下逆に帯状のフィルムを図４に示されるように上面フィルム１１ａで形成して水路１２を形成することも同様にでき、その場合の効果は前記したところと同じである。上面フィルム１１ａを黒色の帯状のフィルムとすれば、双方の構成において帯状部分の印刷をする必要がないという利点も生ずる。
【００２０】
図５（ａ）と（ｂ）は本発明第４実施例の図１（ａ）と（ｂ）に類似の平面図と側面図で、図中、図１から図４までに示した部分と同じ部分は同一符号を付して示し、１６は上面フィルム１１ａの上方に配置される保温用フィルムであり、１７は保温用フィルム１６と上面フィルム１１ａとを接着する第２接着面であり、この第２接着面で保温用フィルム１６、上面フィルム１１ａおよび下面フィルム１１ｂを貼り合わせて上面フィルム１１ａを水路１２の上面に密着させる。図において、保温用フィルムを別個のフィルムとして示すためにそれは水路１２から離れた状態で描いた。この実施例は、保温用フィルム１６と第２接着面１７とを除くと第１実施例と同じ構成のものである。
保温用フィルム１６は上面フィルム１１ａと一緒になって地面からの放熱を防止し殺菌力を高める効果を有する。保温用フィルム１６は透明フィルムまたはシルバーのものもしくは熱反射性のものにしてもよい。
【００２１】
図６（ａ）と（ｂ）は本発明第５実施例の図１（ａ）と（ｂ）に類似の平面図と側面図であり、図中、図１〜図５に示した部分と同じ部分は同じ符号で示し、１８は第２接着面１７の中央寄りに形成した第３接着面、１９は第３接着面の片方、図示の例では左の第３接着面の上方にあけた空気導入口であり、それは図示の位置の右反対側、すなわち図の右の第３接着面１８の上方に設けてもよい。この実施例においては、縦方向の熱湯の入口側は水路がつぶれない程度に土をのせたり鎖のような重しをのせ反対側は折り返してクリップなどで固定するなどして密閉し空気導入口１９から空気を入れると上面フィルム１１ａと保温用フィルム１６との間の容積が第４実施例の場合よりも著しく大になって、上面フィルム１１ａと保温用フィルム１６との間に空気ドーム（もしくはトンネル）３０が形成され保温効果ひいては殺菌効果がさらに増大する。空気は図示しない小型ファンまたは送風機を用いて導入する。空気導入口１９は図７に示すように図６の場合とは反対側に形成してもよく、その場合の効果は図６に示す例の場合と同様である。
【００２２】
図８（ａ）と（ｂ）は本発明第６実施例の図１（ａ）と（ｂ）に類似する平面図と側面図で、図１〜図７に示した部分と同じ部分は同一符号で示す。この実施例は、上面フィルム１１ａと下面フィルム１１ｂとの間に形成される水路１２内にそれと同方向に延在する散水チューブ２０がはさみ込まれ固定されており、散水チューブ２０の孔１４に面する部分には散水孔２０ａがあけられている。接着剤は、上面フィルムの下方面と下面フィルムの上方面とに塗布し、またはいずれか一方の相手方に面する面のみに塗布して貼り合わせる。熱湯は散水チューブ内を流れるため接着面は必ずしも連続している必要はなく、図９に示されるように散水チューブが固定できるように断続的な接着面としてもよい。下面フィルム１１ｂの水路１２の孔１４に面する部分は孔１４をあけるが、その代わりにスリット（図示せず。）をあけてもよい。水路内に散水チューブを配置することにより散水チューブの耐熱性や耐圧性が高ければよいので上面および下面フィルムを薄くしたり安価な材質に代えることも可能で軽く扱いやすいものにしたり低コストで製造できる。さらに、熱湯は平均的に水路内へ供給され次いで土壌の上に放出されて土壌の保温が平均化され殺菌力が高められるという効果が得られる。
【００２３】
図１０は本発明第７実施例の図で、同図（ａ）と（ｂ）は図８（ａ）と（ｂ）に類似する図で、図１〜図９に示した部分と同じ部分は同一符号で示す。この実施例では、散水チューブ２０の散水孔２０ａを上向きにし、水路１２の散水孔１４を下向きにした変形例である。散水チューブ２０の散水孔２０ａを上向きとすることで、水路から出る湯の量が一定になり、水路が長くなった場合に散水ムラが起こりにくいという利点が得られる。
【００２４】
図１１は本発明の第８実施例の図で、同図（ａ）と（ｂ）は図１０（ａ）と（ｂ）に類似の平面図と側面図で、図１〜図１０に示した部分と同じ部分は同一符号で示し、１１ｃは下面フィルム１１ｂに代わる下面透水性フィルムである。この実施例においては、対面する上面フィルム１１ａと下面透水性フィルム１１ｃは図示の如く第１接着面１３で接着されて熱湯を通す水路１２を形成し、水路１２内に散水チューブ２０が水路１２と同方向に配置され、散水チューブ２０の下方に散水孔２０ａが形成され、下面透水性フィルム１１ｃそのものが透水性であるので孔１４が形成されていないところが異なる。透水性フィルムに代えて不織布を用いてもよく、透水性フィルムにせよ不織布にせよ熱湯の放出が分散、平均化される効果がある。その他の構成は第５実施例と同じである。
【００２５】
図１２（ａ）と（ｂ）は本発明の第９実施例の平面図と側面図で、図１〜図１１に示した部分と同じ部分は同一符号で示す。この実施例は、下面透水性フィルム１１ｃと保温用フィルム１６は第３接着面１８で接着され空気導入口１９から空気が導入されて空気ドーム３０が作られ、水路１２が形成されない代わりに２以上の散水チューブ２０が下面透水性フィルム１１ｃの上面に第４接着面１８ａにおいて接着され、散水チューブ２０の上面には２以上の散水孔２０ａが形成されている。第１〜第７実施例では散布した熱湯がそのまま土壌に流れ落ち熱湯は土壌への自然な浸透で拡散していくため水路や散水孔の間隔があまり広くできないが、上側に散水孔１４を形成した散水チューブ２０に強制的に熱湯を供給し熱湯を散水孔２０ａから強制的に拡散できるため水路の形成が少なくても大きな面積に熱湯を散布することができる。このとき下面フィルムには不織布のような通気性は低いが透水性の高いフィルムを使うことで空気ドーム３０内に放出される熱湯は土壌へ浸透していく。熱湯散布用具の左右は、空気ドーム形成時に下面フィルムを土壌に密着させ空気漏れを防ぎ保温性を確保するため重し替わりとしてそれぞれ中心方向へのみの散水孔をもった散水チューブを配置するか、または盛土やパイプ等を第３接着面１８の上にのせて重しにしてもよい。空気導入口１９は図１２に示す例とは反対側に図１３に示す如くに形成してもよく、その場合の効果は図１２に示す例の場合と同様である。
【００２６】
図１４は水路１２に熱湯を供給するのに用いるヘッダー２１を示す。図中、２２は給水管でそれは連結管２３につながり、連結管２３を水路１２の端部に挿入する。かかるヘッダー２１は例えば耐熱性のプラスチック材料で容易に形成される。
【００２７】
使用において、図１〜図１３に示した実施例のいずれかからなるユニット１０は図１５に示すように配置される。図１５において、図１〜図１４に示した部分と同じ部分は同一符号で示し、３１は圃場土壌、３２はボイラ、３３は熱交換器、３４は殺菌制御ユニット、３４ａは制御部、３５（ＦＭ）は流量センサ、３６（Ｐ）は循環ポンプ、３７（ＴＨ）は低温出湯防止センサ、３８（ＦＴ）は給水用フィルタ、３９は給水路、４０は熱湯管、一点鎖線４１は制御信号路、４２はモータ、４３はバルブ、破線４４はセンサ信号路、４５は接続具である。
【００２８】
給水管３９から供給される給水（井戸水、用水等）は熱交換器３３内でボイラ３２から供給される熱湯との熱交換により熱湯となり、熱湯管４０を経て圃場土壌３１上に配置された散布ユニット１０へ供給される。散布ユニット１０へ供給される熱湯の温度を制御するために熱交換器３３から出る熱湯は殺菌制御ユニット３４で適正温度に制御される。ボイラ３２と熱交換器３３の間には循環ポンプ３６が配置され熱湯をユニット１０へ供給する。低温出湯防止センサ３８が熱交換器３３と制御部３４ａの間に設けられ低温水が供給されることのないよう保証する。制御部３４ａから出る上方の実線矢印と下方の破線矢印とは他の熱湯散布ユニットへ熱湯が供給されることを示す。
【００２９】
【発明の効果】
本発明の各実施例が奏する効果を見ると、
基本的な第１実施例においては、用具は対面する２枚のフィルムで構成され、これらのフィルムを接着することにより熱湯散布用の水路が形成され、しかもこの上下のフィルムが熱湯が散布された土壌の保温を助け、用具は３ｍ×２０ｍ＝６０ｍ２の寸法にすることによりほとんどの温室では２つの用具を横に並べ縦方向に移動させるだけで温室全体をカバーすることができ、
第２実施例においては上面フィルム１１ａの水路１２上の部分を着色することにより水路を通る熱湯の熱損失を少にし、
第３実施例においては、上面フィルムと下面フィルムのいずれかの水路構成部分を帯状に形成することによりフィルム材を少なくすることができ、
第４実施例では保温フィルムを上面フィルム１１ａの上に配置することにより土壌面からの放熱を防止し殺菌効果を高め、
第５実施例においては、上面フィルムと保温フィルムの間に空気ドームを形成させ、保温効果ひいては殺菌効果をさらに高め、
第６実施例においては水路内に散水チューブを配置し、それの散水孔から熱湯を水路に供給するので、より軽く扱いやすいものとなり、さらには低コストで製造でき、
第７実施例では、散水孔から上向きに熱湯を放出することにより放出される湯の量が一定になる効果が得られ、
第８実施例では下面のフィルムは透水性フィルムになっており、この実施例は第６実施例の効果に加え、下面フィルムの孔１４の形成が不要になる一方で熱湯の放出が平均化される効果を有し、
第９実施例では散水チューブから上向きに強制的に熱湯を放出させることにより水路の数が少なくても大きな面積をカバーできる効果が得られる。
【図面の簡単な説明】
【図１】本発明第１実施例の図で、同図（ａ）は平面図、同図（ｂ）は側面図である。
【図２】本発明第２実施例の図で、同図（ａ）は平面図、同図（ｂ）は側面図である。
【図３】本発明第３実施例の図で、同図（ａ）は平面図、同図（ｂ）は側面図である。
【図４】本発明第３実施例の変形例の図で、同図（ａ）は平面図、同図（ｂ）は側面図である。
【図５】本発明第４実施例の図で、同図（ａ）は平面図、同図（ｂ）は側面図である。
【図６】本発明第５実施例の図で、同図（ａ）は平面図、同図（ｂ）は側面図である。
【図７】本発明第５実施例の変形例の図で、同図（ａ）は平面図、同図（ｂ）は側面図である。
【図８】本発明第６実施例の図で、同図（ａ）は平面図、同図（ｂ）は側面図である。
【図９】本発明第６実施例の変形例の図で、同図（ａ）は平面図、同図（ｂ）は側面図である。
【図１０】本発明第７実施例の図で、同図（ａ）は平面図、同図（ｂ）は側面図である。
【図１１】本発明第８実施例の図で、同図（ａ）は平面図、同図（ｂ）は側面図である。
【図１２】本発明第９実施例の図で、同図（ａ）は平面図、同図（ｂ）は側面図である。
【図１３】本発明第９実施例の変形例の図で、同図（ａ）は平面図、同図（ｂ）は側面図である。
【図１４】本発明の用具とヘッダーを示す平面図である。
【図１５】本発明の実用例を示す平面図である。
【図１６】従来例の一つの模式的側面図である。
【符号の説明】
１０  土壌殺菌用の熱湯散布用具（熱湯散布用具）
１１ａ  上面フィルム
１１ｂ  下面フィルム
１１ｃ  下面透水性フィルム
１２  水路
１３  第１接着面
１４  孔
１５  黒色フィルム
１６  保温用フィルム
１７  第２接着面
１８  第３接着面
１８ａ  第４接着面
１９  空気導入口
２０  散水チューブ
２０ａ  散水孔
２１  ヘッダー
２２  給水管
２３  連結管
３０  空気ドーム
３１  圃場土壌
３２  ボイラ
３３  熱交換器
３４  殺菌制御ユニット
３４ａ  制御部
３５  センサ
３６  循環ポンプ
３７  低温出湯防止センサ
３８  給水用フィルタ
３９  給水路
４０  熱湯管
４１  制御信号路
４２  モータ
４３  バルブ
４４  センサ信号路
４５  接続具
【図１】
0003763340.tif 000002
【図２】
0003763340.tif 000003
【図３】
0003763340.tif 000004
【図４】
0003763340.tif 000005
【図５】
0003763340.tif 000006
【図６】
0003763340.tif 000007
【図７】
0003763340.tif 000008
【図８】
0003763340.tif 000009
【図９】
0003763340.tif 000010
【図１０】
0003763340.tif 000011
【図１１】
0003763340.tif 000012
【図１２】
0003763340.tif 000013
【図１３】
0003763340.tif 000014
【図１４】
0003763340.tif 000015
【図１５】
0003763340.tif 000016
【図１６】
0003763340.tif 000017